(57)【要約】【課題】  ビーディング工程における中間電極の位置決め精度の確保と、中間電極の補正電極の電子ビーム通過孔の変形防止とを両立する。【解決手段】  集束電極４と中間電極５と最終加速電極６とがメインレンズを形成する。中間電極５は、３電子ビームがそれぞれ通過する３つの電子ビーム通過孔が形成された板状の補正電極５０と、その集束電極側に配置された第１筒状電極５１と、最終加速電極側に配置された第２筒状電極５２とを備える。中間電極５を管軸に沿って見たとき、補正電極５の両外側の電子ビーム通過孔５０ｓの垂直方向開口径が最大となる水平方向位置Ｐ０よりも水平方向において外側に位置する電子ビーム通過孔５０ｓの端縁が、第１筒状電極５１の第１横長開口５３内及び第２筒状電極の第２横長開口５４内に見えない。【選択図】  図２
2006210112.tif 000002
【特許請求の範囲】
【請求項１】
水平方向にインライン配列された３つのカソードと、集束電極と、中間電極と、最終加速電極とをこの順に少なくとも備え、前記集束電極にはフォーカス電圧が印加され、前記最終加速にはアノード電圧が印加され、前記中間電極には前記フォーカス電圧と前記アノード電圧との間の電圧が印加され、前記集束電極と前記中間電極と前記最終加速電極とがメインレンズを形成する電子銃を備えたカラー受像管であって、
前記中間電極は、前記３つのカソードからそれぞれ出射された３つの電子ビームがそれぞれ通過する３つの電子ビーム通過孔が形成された板状の補正電極と、前記補正電極の前記集束電極側に配置された第１筒状電極と、前記補正電極の前記最終加速電極側に配置された第２筒状電極とを備え、
前記第１筒状電極の前記集束電極側端には、前記３つの電子ビームが通過する１つの第１横長開口が形成されており、
前記第２筒状電極の前記最終加速電極側端には、前記３つの電子ビームが通過する１つの第２横長開口が形成されており、
前記中間電極を管軸に沿って見たとき、前記補正電極の前記３つの電子ビーム通過孔のうち両外側の電子ビーム通過孔の垂直方向開口径が最大となる水平方向位置Ｐ０よりも水平方向において外側に位置する前記両外側の電子ビーム通過孔の端縁が、前記第１横長開口内及び前記第２横長開口内に見えないことを特徴とするカラー受像管。
【請求項２】
前記両外側の電子ビーム通過孔の垂直方向開口径の最大値は、前記第１横長開口の垂直方向開口径及び前記第２横長開口の垂直方向開口径よりも大きい請求項１に記載のカラー受像管。
【請求項３】
前記両外側の電子ビーム通過孔の端縁のうち、前記位置Ｐ０よりも水平方向において外側の部分は半円形であり、前記位置Ｐ０よりも水平方向において内側の部分は半楕円形である請求項１に記載のカラー受像管。
【請求項４】
前記集束電極は、前記中間電極側端に前記３つの電子ビームが通過する１つの横長開口が形成された筒状電極と、前記３つの電子ビームがそれぞれ通過する３つの電子ビーム通過孔がこの筒状電極内に形成されるように、この筒状電極内に配置された板状の補正電極とを備え、
前記最終加速電極は、前記中間電極側端に前記３つの電子ビームが通過する１つの横長開口が形成された筒状電極と、前記３つの電子ビームがそれぞれ通過する３つの電子ビーム通過孔がこの筒状電極内に形成されるように、この筒状電極内に配置された板状の補正電極とを備え、
前記中間電極において、前記集束電極側端から前記補正電極までの距離をＬｍ１、前記最終加速電極側端から前記補正電極までの距離をＬｍ２、
前記集束電極において、前記中間電極側端から前記補正電極までの距離をＬ３、
前記最終加速電極において、前記中間電極側端から前記補正電極までの距離をＬ４としたとき、
Ｌｍ１＝Ｌｍ２
Ｌ３≠Ｌ４、又は、Ｌ３＞Ｌｍ１
を満足する請求項１に記載のカラー受像管。
【請求項５】
前記集束電極の前記補正電極と前記最終加速電極の前記補正電極とは、それぞれが形成する電子ビーム通過孔の形状に関して同一寸法を有する請求項４に記載のカラー受像管。
【請求項６】
管軸方向寸法に関して、前記集束電極と前記最終加速電極とは同一であり、前記第１筒状電極及び前記第２筒状電極は、これらより短い請求項１に記載のカラー受像管。
【請求項７】
前記アノード電圧を抵抗器を用いて抵抗分割することにより得た電圧が前記中間電極に印加されている請求項１に記載のカラー受像管。
【発明の詳細な説明】
【技術分野】
【０００１】
本発明は、カラー受像管に関し、特に、複数本の電子ビームをスクリーン上に集束させるためのメインレンズを、３電子ビームに共通の横長開孔を端面に有する複数の筒状電極で形成する電子銃を備えたカラー受像管に関する。
【背景技術】
【０００２】
一般にカラー受像管装置では、ファンネルのネック部内に配置された電子銃から放出された３本の電子ビームが、偏向磁界により偏向され、シャドウマスクのアパーチャを通過して、シャドウマスクに対向して形成された蛍光体スクリーンを照射することにより、画像を表示する。このとき、偏向磁界は、３本の電子ビームを画面全域で集中させるために、水平偏向磁界はピンクッション状に、垂直偏向磁界はバレル状に歪んでいる。このため、偏向磁界を通過した電子ビームがスクリーン上に形成するスポット形状は、スクリーンの周辺部で横長形状となり、水平解像度が低下するという課題がある。この課題は、近年のようなパネルのフラット化、偏向角の拡大化により、ますます顕著になっている。そのため、高解像度の画面表示を実現するためには、電子銃により特に水平方向のスポット径を小さくすることが望まれる。
【０００３】
スポット径を小さくするには、電子銃のメインレンズの球面収差を小さくし、且つメインレンズの径を大きくすることが非常に有効である。
【０００４】
この考え方を実現した電子銃の一例が特許文献１に開示されている。この電子銃を図８を用いて説明する。以下の説明の便宜のために、カラー受像管の管軸方向（電子銃の中心軸方向）軸をＺ軸、Ｚ軸と直交する水平方向軸をＸ軸、Ｚ軸及びＸ軸と直交する垂直方向軸をＹ軸とする。
【０００５】
この電子銃は、ヒータ１ａをそれぞれ内蔵したＸ軸上にインライン配列された３つのカソード１、制御電極２、加速電極３、集束電極４、中間電極５、最終加速電極６、トップユニット７をこの順に備える。
【０００６】
制御電極２及び加速電極３には、３つのカソードからそれぞれ放射された３つの電子ビームに一対一に対応する３つの電子ビーム通過孔が形成されている。制御電極２は接地され、加速電極３には電圧Ｖｇ２が印加される。カソード１、制御電極２、加速電極３で電子ビーム発生部を構成する。
【０００７】
集束電極４、中間電極５、最終加速電極６は、いずれも、Ｘ軸方向径がＹ軸方向径より大きな筒状電極４１，５５，６１と、各筒状電極４１，５５，６１のＺ軸方向の両端から後退した位置に、板状の補正電極４０，５０，６０とを備える。
【０００８】
集束電極４の筒状電極４１は、中間電極５側端に、３電子ビームに共通する、Ｘ軸方向を長手方向とする単一の横長開口４２を有し、補正電極４０はセンタービーム通過孔と、その両側の、半楕円状のサイドビーム通過部とを有している。
【０００９】
中間電極５の筒状電極５５は、両端に３電子ビームに共通する、Ｘ軸方向を長手方向とする単一の横長開口５３，５４を有し、補正電極５０はセンタービーム通過孔と、その両側の、サイドビーム通過孔とを有している。
【００１０】
最終加速電極６の筒状電極６１は、中間電極５側端に、３電子ビームに共通する、Ｘ軸方向を長手方向とする単一の横長開口６２を有し、補正電極６０はセンタービーム通過孔と、その両側の、半楕円状のサイドビーム通過部とを有している。
【００１１】
集束電極４にはフォーカス電圧Ｖｆが印加され、最終加速電極６にはアノード電圧Ｅｂが印加され、中間電極５０にはフォーカス電圧Ｖｆとアノード電圧Ｅｂとの間の電圧Ｖｍが印加される。メインレンズは、これら集束電極４、中間電極５、最終加速電極６により形成される。
【００１２】
このような電子銃によれば、横長開口４２，５３，５４，６２とこれらから後退した位置にある補正電極４０，５０，６０とで、主に水平方向にメインレンズ電界が重畳されるので、レンズ径が拡大され、更にそのメインレンズ電界が、中間電極５を介してＺ方向にも拡張されるため、レンズ径が顕著に拡大される。これにより、蛍光体スクリーン上のスポット径を大幅に縮小することができる。
【特許文献１】特開２００１−９３４３６号公報
【発明の開示】
【発明が解決しようとする課題】
【００１３】
しかし、特許文献１の電子銃の製造工程の一つである、複数の電極を治具で位置規正しながらマルチフォームロッドに埋め込み一体化するビーディング工程において、問題が発生する。これを以下に説明する。
【００１４】
ビーディング工程において、複数の電極のＺ軸に直交する面内方向の位置規制は、３電子ビームのうちの外側の両サイドビームに対応して立設された２本の治具（棒状部材）に、各電極を順に挿入することにより行われる。即ち、各電極は、２本の治具の外周面に、各電極の両サイドビーム通過孔の端縁が接触することにより、Ｘ軸方向及びＹ軸方向に位置決めされる。
【００１５】
図９に示すように、上記の従来の電子銃では、中間電極５の両端の横長開口５３，５４のＸ軸上での開口径Ｄ５３，Ｄ５４は、補正電極５０の両サイドビームの通過孔５０ｓの各外側端縁間のＸ軸上での距離Ｄ５０より大きい。従って、中間電極５を２本の治具で位置規制するには、２本の治具の外周面を、補正電極５０の両サイドビームの通過孔５０ｓの各外側端縁に接触させて行わざるを得ない。
【００１６】
補正電極５０は薄い金属板で形成されているから、この位置規制の際に、補正電極５０の両サイドビームの通過孔５０ｓの端縁が２本の治具と接触して変形することがある。電子ビーム通過孔の開口形状の変形は、フォーカス特性を劣化させる。特に中間電極５は、集束電極４や最終加速電極６より、形状バラツキのフォーカス特性に対する感度が高いため、この問題は深刻である。
【００１７】
２本の治具の外寸法に対して、補正電極５０の両サイドビームの通過孔５０ｓの各外側端縁間距離Ｄ５０を大きくすれば、両サイドビームの通過孔５０ｓの端縁の変形はある程度減少できるが、中間電極５の位置決め精度が劣化する。
【００１８】
本発明は、上記の問題を解決し、メインレンズの特性を維持しつつ、ビーディング工程における中間電極の位置決め精度の確保と、中間電極の補正電極の電子ビーム通過孔の変形防止とを両立可能な電子銃を備えたカラー受像管を提供することを目的とする。
【課題を解決するための手段】
【００１９】
本発明のカラー受像管は、水平方向にインライン配列された３つのカソードと、集束電極と、中間電極と、最終加速電極とをこの順に少なくとも備え、前記集束電極にはフォーカス電圧が印加され、前記最終加速にはアノード電圧が印加され、前記中間電極には前記フォーカス電圧と前記アノード電圧との間の電圧が印加され、前記集束電極と前記中間電極と前記最終加速電極とがメインレンズを形成する電子銃を備える。
【００２０】
前記中間電極は、前記３つのカソードからそれぞれ出射された３つの電子ビームがそれぞれ通過する３つの電子ビーム通過孔が形成された板状の補正電極と、前記補正電極の前記集束電極側に配置された第１筒状電極と、前記補正電極の前記最終加速電極側に配置された第２筒状電極とを備える。
【００２１】
前記第１筒状電極の前記集束電極側端には、前記３つの電子ビームが通過する１つの第１横長開口が形成されており、前記第２筒状電極の前記最終加速電極側端には、前記３つの電子ビームが通過する１つの第２横長開口が形成されている。
【００２２】
そして、前記中間電極を管軸に沿って見たとき、前記補正電極の前記３つの電子ビーム通過孔のうち両外側の電子ビーム通過孔の垂直方向開口径が最大となる水平方向位置Ｐ０よりも水平方向において外側に位置する前記両外側の電子ビーム通過孔の端縁が、前記第１横長開口内及び前記第２横長開口内に見えないことを特徴とする。
【発明の効果】
【００２３】
本発明によれば、ビーディング工程において、中間電極の補正電極が治具に接触しないので、該補正電極の変形を防止できる。更に、中間電極は、Ｚ軸方向の両側の２つの横長開口で位置規制されるので、中間電極の位置決め精度が向上する。
【発明を実施するための最良の形態】
【００２４】
以下、本発明を、好適な一実施形態を示しながら具体的に説明する。
【００２５】
図１は、本発明の一実施形態に係るカラー受像装置の概略構成を示す水平方向断面図である。このカラー受像管は、略矩形状のパネル２１とファンネル２２とが接合一体化された外囲器を備える。パネル２１の内面にはＲ（赤色）、Ｇ（緑色）、Ｂ（青色）の３色の蛍光体が塗布された蛍光体スクリーン２３が形成されており、蛍光体スクリーン２３に対向して、色選択電極としてのシャドウマスク２４が配置されている。ファンネル２２のネック部２２ａにはインライン型電子銃１０が収納されている。ファンネル２２の内面には、電子銃１０の最終加速電極６にアノード電圧を供給するための内部導電膜２５が形成されている。
【００２６】
このように構成されたカラー受像管のファンネル２２の外周面上に、偏向ヨーク２６が搭載されて、カラー受像管装置が構成される。
【００２７】
電子銃１０からＸ軸上にインライン配列されて放射された、Ｒ（赤色）、Ｇ（緑色）、Ｂ（青色）にそれぞれ対応する３電子ビーム（中央の電子ビームをセンタービーム２０ｃ、両外側の電子ビームをサイドビーム２０ｓとする）は、偏向ヨーク２６が発する磁界により水平方向（Ｘ軸方向）及び垂直方向（Ｙ軸方向）に偏向されて、シャドウマスク２４に形成されたアパーチャを通過して、蛍光体スクリーン２３を照射し発光させて所望する画像を形成する。
【００２８】
次に、上記インライン型電子銃１０の詳細を説明する。図２は、電子銃１０のメインレンズ形成部を示した水平方向断面図である。図８に示した従来の電子銃と同一又は類似の機能を奏する部材には同一の符号を付している。
【００２９】
集束電極４は、Ｘ軸方向径がＹ軸方向径より大きな筒状電極４１と、筒状電極４１内であって、その中間電極５側端から後退した位置に、板状の補正電極４０を備える。筒状電極４１は、中間電極５側端に、３電子ビームに共通する、Ｘ軸方向を長手方向とする単一の横長開口４２を有する。
【００３０】
中間電極５は、Ｘ軸方向径がＹ軸方向径より大きな筒状電極５１，５２と、筒状電極５１，５２の間に挟まれた板状の補正電極５０を備える。筒状電極５１は、その集束電極４側端に、３電子ビームに共通する、Ｘ軸方向を長手方向とする単一の横長開口５３を有する。また、筒状電極５２は、その最終加速電極６側端に、３電子ビームに共通する、Ｘ軸方向を長手方向とする単一の横長開口５４を有する。
【００３１】
最終加速電極６は、Ｘ軸方向径がＹ軸方向径より大きな筒状電極６１と、筒状電極６１内であって、その中間電極５側端から後退した位置に、板状の補正電極６０を備える。筒状電極６１は、中間電極５側端に、３電子ビームに共通する、Ｘ軸方向を長手方向とする単一の横長開口６２を有する。
【００３２】
集束電極４にはフォーカス電圧Ｖｆが印加され、最終加速電極６にはアノード電圧Ｅｂが印加される。中間電極５には、電子銃の側部に配された抵抗器１２を用いて抵抗分割することにより得られた、フォーカス電圧Ｖｆとアノード電圧Ｅｂとの間の電圧Ｖｍが印加される。メインレンズは、これら集束電極４、中間電極５、最終加速電極６により形成される。メインレンズが大口径化される原理は従来の電子銃と同様である。
【００３３】
図２では図示を省略しているが、図８に示した従来の電子銃と同様に、上記メインレンズ形成部の集束電極４側に、Ｘ軸上にインライン配列された３つのカソード１、制御電極２、及び加速電極３を、最終加速電極６側にトップユニット７を備える。そして、従来の電子銃と同様に、制御電極２及び加速電極３には、３つのカソードからそれぞれ放射された３つの電子ビームに一対一に対応する３つの電子ビーム通過孔が形成されている。制御電極２は接地され、加速電極３には電圧Ｖｇ２が印加される。カソード１、制御電極２、加速電極３で電子ビーム発生部を構成する。
【００３４】
図３（Ａ）、図３（Ｂ）、図３（Ｃ）は、順に、集束電極４の補正電極４０、中間電極５の補正電極５０、最終加速電極６の補正電極６０の各正面図である。
【００３５】
補正電極４０は、図３（Ａ）に示されているように、センタービーム２０ｃが通過するセンタービーム通過孔４０ｃと、２つのサイドビーム２０ｓがそれぞれ通過する、半楕円形状に切り欠かれたサイドビーム通過部４０ｓとを有している。補正電極４０のサイドビーム通過部４０ｓと筒状電極４１の内壁面とで、サイドビーム２０ｓが通過するサイドビーム通過孔が形成される。
【００３６】
同様に、補正電極６０は、図３（Ｃ）に示されているように、センタービーム２０ｃが通過するセンタービーム通過孔６０ｃと、２つのサイドビーム２０ｓがそれぞれ通過する、半楕円形状に切り欠かれたサイドビーム通過部６０ｓとを有している。補正電極６０のサイドビーム通過部６０ｓと筒状電極６１の内壁面とで、サイドビーム２０ｓが通過するサイドビーム通過孔が形成される。
【００３７】
補正電極５０は、図３（Ｂ）に示されているように、センタービーム２０ｃが通過するセンタービーム通過孔５０ｃと、２つのサイドビーム２０ｓがそれぞれ通過するサイドビーム通過孔５０ｓとを有している。
【００３８】
本発明では、補正電極５０の各サイドビーム通過孔５０ｓのＹ軸方向開口径が最大となるＸ軸方向位置Ｐ０よりもＸ軸方向において外側（センタービーム通過孔５０ｃとは反対側）に位置するサイドビーム通過孔５０ｓの端縁５０ｓOUTが、中間電極５をＺ軸方向から見たとき、筒状電極５１，５２の横長開口５３，５４の端縁と同一位置又はその外側（Ｚ軸から遠い側）に位置している。即ち、図４（Ａ）及び図４（Ｂ）に示すように、中間電極５を横長開口５３側から及び横長開口５４側からＺ軸に沿って見たとき、補正電極５０のサイドビーム通過孔５０ｓの端縁５０ｓOUTが横長開口５３内及び横長開口５４内に見えない。
【００３９】
補正電極５０の各サイドビーム通過孔５０ｓのＹ軸方向の開口径の最大値５０ｓMAX（図３（Ｂ）参照）は、筒状電極５１，５２の横長開口５３，５４のＹ軸方向開口径５３Ｖ，５４Ｖ（図４（Ａ）及び図４（Ｂ）参照）と同一でも良いし、Ｙ軸方向開口径５３Ｖ，５４Ｖより大きくても良い。５０ｓMAX＞５３Ｖ且つ５０ｓMAX＞５４Ｖであると、図４（Ａ）及び図４（Ｂ）に示すように、横長開口５３内及び横長開口５４内に端縁５０ｓOUTが見えないサイドビーム通過孔５０ｓを形成することが容易になるので好ましい。
【００４０】
このような構成による効果を以下に説明する。
【００４１】
電子銃の組み立て工程において、複数の電極を治具で位置規正しながら一対のマルチフォームロッドに埋め込み一体化するビーディング工程がある。このビーディング工程では、まず、３電子ビームのうちの外側の両サイドビームに対応して互いに平行に立設された２本の治具（棒状部材）に、各電極を順に挿入する。各電極は、その両サイドビーム通過孔の端縁が２本の治具の外周面に接触することにより、Ｘ軸方向及びＹ軸方向に位置決めされる。その後、加熱し軟化させたガラス材からなる一対の棒状のマルチフォームロッドを複数の電極の両側から押し付けて、複数の電極の側部を一対のマルチフォームロッドに埋め込む。このようにして、複数の電極を一対のマルチフォームロッドを介して一体化させる。
【００４２】
図５（Ａ），図５（Ｂ），図５（Ｃ）は、順に、集束電極４、中間電極５、最終加速電極６が一対の治具９０ａ，９０ｂでＸＹ面内方向に位置決めされている状態を示した断面図である。一対の治具９０ａ，９０ｂの断面形状は、その長手方向において少なくとも集束電極４、中間電極５、最終加速電極６が挿入される範囲では一定である。
【００４３】
図５（Ｂ）に示すように、本発明では、治具９０ａ，９０ｂのＹ軸とは反対側の外周面が横長開口５３，５４のＸ軸方向両端の半円状端縁と当接することより、中間電極５はＸＹ面内方向に位置決めされる。このとき、補正電極５０の各サイドビーム通過孔５０ｓの端縁は治具９０ａ，９０ｂと接触しない。従って、補正電極５０の変形が生じない。
【００４４】
また、横長開口５３，５４の端縁は、補正電極５０のサイドビーム通過孔５０ｓの端縁に比べて相対的に機械的強度が高い。従って、治具９０ａ，９０ｂと接触することにより、横長開口５３，５４の端縁が変形することはほとんどない。
【００４５】
更に、中間電極５は、この横長開口５３，５４が治具９０ａ，９０ｂと接触することにより、Ｚ軸方向の２箇所で位置決めされるので、位置決め精度が向上する。
【００４６】
以上のように、本発明によれば、ビーディング工程における中間電極５の位置決め精度の確保と、中間電極５の補正電極５０の電子ビーム通過孔５０ｓの変形防止とを両立することができる。
【００４７】
なお、図５（Ａ）に示すように、集束電極４は、治具９０ａ，９０ｂのＹ軸とは反対側の外周面が横長開口４２のＸ軸方向両端の半円状端縁と当接することより、ＸＹ面内方向に位置決めされる。また、図５（Ｃ）に示すように、最終加速電極６は、治具９０ａ，９０ｂのＹ軸とは反対側の外周面が横長開口６２のＸ軸方向両端の半円状端縁と当接することより、ＸＹ面内方向に位置決めされる。横長開口４２，６２の端縁は相対的に機械的強度が高いので、これらは、治具９０ａ，９０ｂと接触しても変形することはほとんどない。
【００４８】
図３（Ｂ）において、位置Ｐ０よりもＸ軸方向において外側に位置するサイドビーム通過孔５０ｓの端縁５０ｓOUT、及び位置Ｐ０よりもＸ軸方向において内側に位置するサイドビーム通過孔５０ｓの端縁５０ｓINの各形状は特に制限はないが、端縁５０ｓOUTは半円形であり、端縁５０ｓINは半楕円形（楕円を長軸に沿って半分に切断した形状）であると、補正電極５０を製造しやすいので好ましい。
【００４９】
本発明においては、特許文献１に記載された変数Ｌｍ（補正電極５０の３つの電子ビーム通過孔５０ｓ，５０ｃ，５０ｓの各Ｘ軸方向開口径と隣り合う電子ビーム通過孔間の間隔との合計）が大きくなるので、蛍光体スクリーン２３の中央でのサイドビームスポット間の距離であるＳＴＣ（static convergence）が大きくなることが懸念される。しかし、この問題は、筒状電極４１，５１，５２，６１のＺ軸方向端に形成された横長開口４２，５３，５４，６２から補正電極４０，５０，６０までの距離、及び／又は補正電極４０，５０，６０のサイドビーム通過孔の内側（Ｙ軸側）端縁とＸ軸との交点位置を、電極４，５，６ごとに最適設計することで解決可能である。
【００５０】
ＳＴＣの劣化を、筒状電極４１，５１，５２，６１の横長開口４２，５３，５４，６２から補正電極４０，５０，６０までの距離を最適設計することで防止できる具体例を以下に示す。
【００５１】
集束電極４、中間電極５、最終加速電極６の寸法が互いに異なる「実施例」（本発明品）及び「比較例」（従来品）の電子銃を備えるカラー受像管装置を作成した。集束電極４、中間電極５、最終加速電極６の主要部の寸法（図２、図５、図６参照）を表１、表２、表３に示す。
【００５２】
【表１】
2006210112.tif 000003
【００５３】
【表２】
2006210112.tif 000004
【００５４】
【表３】
2006210112.tif 000005
【００５５】
実施例及び比較例において、補正電極４０と補正電極６０、筒状電極４１と筒状電極６１、筒状電極５１と筒状電極５２は、それぞれ同一部材を用いた。これらにより、電極部品の種類を削減することができるので、電極の製造コストが安くなり、メインレンズ特性のバラツキも低減できる。
【００５６】
実施例及び比較例に係る電子銃の各電極に印加した電圧は同一とした。
【００５７】
実施例及び比較例において、横長開口５３，５４のＸ軸方向開口径５３Ｈ，５４Ｈは１９．２ｍｍとしたのに対して、サイドビーム通過孔５０ｓのＸ軸方向外側端とセンタービーム通過孔５０ｃの中心（即ちＺ軸）とのＸ軸方向距離Ｐ＋ＳＨOUTは、実施例で９．７０ｍｍ、比較例で９．４０ｍｍとした。従って、実施例では（Ｐ＋ＳＨOUT）×２＞１９．２ｍｍ、比較例では（Ｐ＋ＳＨOUT）×２＜１９．２ｍｍである。
【００５８】
また、実施例及び比較例において、横長開口５３，５４のＹ軸方向開口径５３Ｖ，５４Ｖは８．２０ｍｍとしたのに対して、サイドビーム通過孔５０ｓのＹ軸方向半径ＳＶは、実施例で４．４０ｍｍ、比較例で４．１０ｍｍとした。従って、実施例ではＳＶ×２＞８．２０ｍｍ、比較例ではＳＶ×２＝８．２０ｍｍである。
【００５９】
従って、中間電極５を横長開口５３側から及び横長開口５４側からＺ軸に沿って見たとき、補正電極５０のサイドビーム通過孔５０ｓの端縁５０ｓOUTが、実施例では横長開口５３内及び横長開口５４内に見えないのに対して、比較例では横長開口５３内及び横長開口５４内に見える。よって、電子銃の組み立て工程であるビーディング工程において、２本の治具で中間電極５を位置決めしたとき、治具は、実施例では横長開口５３，５４のＸ軸方向両端の半円状端縁と当接したのに対して、比較例ではサイドビーム通過孔５０ｓの端縁５０ｓOUTと当接した。
【００６０】
電子銃を構成する各電極の寸法が、製造バラツキやビーディング工程での変形などにより設計値から外れると、メインレンズ特性が変化する。設計値からのずれのメインレンズ特性に対する感度は、メインレンズを構成する電極４，５，６の中では電極５が最も高く、その中でも特に補正電極５０が最も高い。これは、図７に示すように、メインレンズを通過する電子ビーム２０ｃ，２０ｓは、補正電極４０，６０よりも補正電極５０のビーム通過孔に最も接近するからである。なお図７において点線９５は等電位線を示す。
【００６１】
そのため、中間電極５の構成部材である補正電極５０及び筒状電極５１，５２の寸法バラツキを抑えることが、メインレンズ特性のバラツキを抑える上で最も重要である。
【００６２】
本発明では、ビーディング工程において、中間電極５の位置決めを、補正電極５０ではなく、これより相対的に機械的強度が高い筒状電極５１，５２の横長開口５３，５４の端縁を用いて行う。従って、中間電極５の変形を防止することができるので、メインレンズ特性が安定した電子銃を得ることができる。
【００６３】
上記の実施例及び比較例において、ＳＴＣをゼロにするためのカソードピッチ（３つのカソード１のＸ軸方向の配列ピッチ）を計算により求めると、本発明で５．９３ｍｍであり、比較例の約５．９８ｍｍとほぼ同じとなる。これより、特許文献１に記載された変数Ｌｍに対応する、サイドビーム通過孔５０ｓのＸ軸方向外側端とセンタービーム通過孔５０ｃの中心とのＸ軸方向距離Ｐ＋ＳＨOUTが大きくなっても、筒状電極４１，５１，５２，６１のＺ軸方向端に形成された横長開口４２，５３，５４，６２から補正電極４０，５０，６０までの距離を最適設計すれば、ＳＴＣが劣化するのを防止できることが証明された。
【００６４】
上記の実施例ではＬ３＞Ｌ４且つＬ３＞Ｌｍ１とした場合を説明したが、Ｌ３≠Ｌ４（好ましくはＬ３＞Ｌ４）及びＬ３＞Ｌｍ１のうちの一方を満足すれば、同様にＳＴＣを小さくできる。理由は以下の通りである。図７に示すように、Ｌ３≠Ｌ４又はＬ３＞Ｌｍ１とすることで、サイド電子ビーム２０ｓに作用するサイド電子レンズを形成する等電位線が、低電圧側に対して高電圧側で偏芯する。このため、サイド電子ビーム２０ｓをセンター電子ビーム２０ｃ側に曲げることができるからである。
【００６５】
あるいは、補正電極４０，５０，６０のサイドビーム通過孔の内側端縁とＸ軸との交点位置を電極４，５，６ごとに最適設計することでもＳＴＣを小さくすることができる。例えば、補正電極６０のサイドビーム通過孔の内側端縁とＹ軸とのＸ軸に沿った距離を、補正電極４０のサイドビーム通過孔の内側端縁とＹ軸とのＸ軸に沿った距離よりも大きくすれば、ＳＴＣを小さくすることができる。
【００６６】
上記実施形態では、補正電極４０，６０は、筒状電極４１，６１の内壁面とともにサイドビーム通過孔を形成するが、本発明はこれに限定されず、補正電極４０，６０のうちの一方又は両方が、補正電極５０と同様に、３つのビーム通過孔を有していても良い。但し、この場合、補正電極４０及び／又は補正電極６０に形成されたサイドビーム通過孔のＹ軸方向開口径が最大となるＸ軸方向位置よりもＸ軸方向において外側に位置するサイドビーム通過孔の端縁が、Ｚ軸方向から見たとき、横長開口４２及び／又は横長開口６２の端縁と同一位置又はその外側に位置していることが好ましい。これにより、ビーディング工程において、該サイドビーム通過孔の端縁が、治具の接触により変形するのを防止できる。
【００６７】
補正電極４０と補正電極６０とは同一寸法でも、異なっていても良いが、少なくとも、それぞれが形成する電子ビーム通過孔の形状に関して同一寸法であることが好ましい。これにより、補正電極４０と補正電極６０とで部品を共通化できる可能性が高まる。更には、上記実施例のように補正電極４０，６０が、電子ビーム通過孔の端縁形状以外でも同一寸法であること（即ち、同一部材を用いること）がより好ましい。これにより、電極部品の種類を削減することができるので、電極の製造コストが安くなり、メインレンズ特性のバラツキも低減できる。
【００６８】
以上のように、本発明によれば、ＳＴＣが劣化するのを抑制をしつつ、ビーディング工程における中間電極５の位置決め精度の向上と、補正電極５０のサイドビーム通過孔５０ｓの変形防止を両立できる。
【００６９】
また、サイドビーム通過孔５０ｓの開口径が大きいので、電子ビームが補正電極５０へ衝突する可能性が低減される。従って、電子ビーム電流を大きくすることができるので、近年の明るさが要求されるブラウン管としても適用することができる。
【産業上の利用可能性】
【００７０】
本発明の利用分野は特に制限はないが、生産性が良好で、高精細表示が可能なカラー受像管として広く利用することができる。
【図面の簡単な説明】
【００７１】
【図１】本発明の一実施形態に係るカラー受像管の概略構成を示す水平方向断面図である。
【図２】本発明の一実施形態に係るカラー受像管に搭載されるインライン型電子銃のメインレンズ形成部の概略構成を示す水平方向断面図である。
【図３】（Ａ），（Ｂ），（Ｃ）は、図２に示した電子銃の集束電極、中間電極、最終加速電極にそれぞれ用いられる補正電極の正面図である。
【図４】（Ａ），（Ｂ）は、図２の矢印４Ａ，４Ｂから見た中間電極の正面図である。
【図５】（Ａ）はビーディング工程において本発明の一実施形態に係る集束電極が治具で位置決めされている状態を示した断面図、（Ｂ）はビーディング工程において本発明の一実施形態に係る中間電極が治具で位置決めされている状態を示した断面図、（Ｃ）はビーディング工程において本発明の一実施形態に係る最終加速電極が治具で位置決めされている状態を示した断面図である。
【図６】実施例及び比較例に係る電子銃において、中間電極の補正電極の寸法を示した正面図である。
【図７】本発明の一実施形態に係るカラー受像管に搭載されるインライン型電子銃のメインレンズ形成部における等電位線と電子ビーム軌道とを示した水平方向断面図である。
【図８】従来のインライン型電子銃の概略構成を示す垂直方向断面図である。
【図９】図８に示した従来のインライン型電子銃のメインレンズ形成部の水平方向片断面図である。
【符号の説明】
【００７２】
１  カソード
１ａ  ヒータ
２  制御電極
３  加速電極
４  集束電極
４０  補正電極
４０ｃ  センタービーム通過孔
４０ｓ  サイドビーム通過部
４１  筒状電極
４２  横長開口
５  中間電極
５０  補正電極
５０ｃ  センタービーム通過孔
５０ｓ  サイドビーム通過孔
５１  筒状電極（第１筒状電極）
５２  筒状電極（第２筒状電極）
５３  横長開口（第１横長開口）
５４  横長開口（第２横長開口）
６  最終加速電極
６０  補正電極
６０ｃ  センタービーム通過孔
６０ｓ  サイドビーム通過部
６１  筒状電極
６２  横長開口
７  トップユニット
１０  電子銃
１２  抵抗器
２０ｃ  センタービーム
２０ｓ  サイドビーム
２１  パネル
２２  ファンネル
２２ａ  ネック部
２３  蛍光面スクリーン
２４  シャドウマスク
２５  内部導電膜
２６  偏向ヨーク
９０ａ，９０ｂ  治具（棒状部材）
９５  等電位線
【図１】
2006210112.tif 000006
【図２】
2006210112.tif 000007
【図３】
2006210112.tif 000008
【図４】
2006210112.tif 000009
【図５】
2006210112.tif 000010
【図６】
2006210112.tif 000011
【図７】
2006210112.tif 000012
【図８】
2006210112.tif 000013
【図９】
2006210112.tif 000014